(57)【要約】【課題】  簡単な構成で、液晶ディスプレの表示画面からの光を、懐中電灯やスポットライトのような照明光源として利用できる携帯型電子機器、デジタルカメラおよび液晶ディスプレ用のフードを提供することを目的とする。【解決手段】視覚情報を表示画面３１に表示する液晶ディスプレ３と、液晶ディスプレ３が装着されたケース２と、表示画面１３の周囲を覆うようにケース２に装着された複数のフード部材６１、６２、６３、６４からなるフード４と、を備えた携帯型電子機器１において、各フード部材６１、６２、６３、６４の一方の面を、表示画面３１からの光が減衰するように形成して遮光面ａとなし、他方の面を、表示画面３１からの光が反射するように形成して集光面ｂとなし、かつ、フード部材６１、６２、６３、６４は、遮光面ａと、集光面ｂとが反転可能に構成する。【選択図】図１
2008085407.tif 000002
【特許請求の範囲】
【請求項１】
視覚情報を表示画面に表示する液晶ディスプレと、前記液晶ディスプレが装着されたケースと、前記表示画面の周囲を覆うように前記ケースに装着されたフードと、を備えた携帯型電子機器において、
前記フードは、前記ケースに着脱可能に形成された枠体と、前記枠体に回転可能に装着された複数のフード部材とからなり、前記各フード部材の一方の面を、前記表示画面からの光が減衰するように形成して遮光面となし、他方の面を、前記表示画面からの光が反射するように形成して集光面となすとともに、前記フード部材は、前記遮光面と、前記集光面とが反転可能であって、かつ、前記表示画面を覆うように折り畳み可能に構成されていることを特徴とする携帯型電子機器。
【請求項２】
視覚情報を表示画面に表示する液晶ディスプレと、前記液晶ディスプレが装着されたケースと、前記表示画面の周囲を覆うように前記ケースに装着された複数のフード部材からなるフードと、を備えた携帯型電子機器において、
前記各フード部材の一方の面を、前記表示画面からの光が減衰するように形成して遮光面となし、他方の面を、前記表示画面からの光が反射するように形成して集光面となし、かつ、前記フード部材は、前記遮光面と、前記集光面とが反転可能に構成したことを特徴とする携帯型電子機器。
【請求項３】
前記フードは、前記ケースに着脱可能に構成された枠体と、前記枠体に反転可能に装着されたフード部材とから構成したことを特徴とする請求項２に記載の携帯型電子機器。
【請求項４】
前記フード部材は、前記表示画面を覆うように折り畳み可能に形成されていることを特徴とする請求項２または請求項３のいずれかに記載の携帯型電子機器。
【請求項５】
前記各フード部材は、前記表示画面に対する開閉角度が調整可能に構成されていることを特徴とする請求項１乃至請求項４のいずれかに記載の携帯型電子機器
【請求項６】
前記フード部材は、支持軸を有し、当該支持軸が前記枠体に設けられた支持孔に、回転可能に軸支されていることを特徴とする請求項１乃至請求項５のいずれかに記載の携帯型電子機器。
【請求項７】
前記表示画面を全面白画面となるように、当該表示画面に送る画像データを制御する表示制御手段を更に備え、前記フードを、前記表示画面からの光が反射するように集光面とした際、前記表示制御手段により、前記表示画面が全面白画面となるように制御したことを特徴とする請求項１乃至請求項６のいずれかに記載の携帯型電子機器。
【請求項８】
視覚情報を表示画面に表示する液晶ディスプレを備えた携帯型電子機器の前記表示画面の周囲を覆うように前記携帯型電子機器に装着される複数のフード部材からなる液晶ディスプレ用のフードにおいて、
前記各フード部材の一方の面を、前記表示画面からの光が減衰するように形成して遮光面となし、他方の面を、前記表示画面からの光が反射するように形成して集光面となし、かつ、前記フード部材は、前記遮光面と、前記集光面とが反転可能に構成したことを特徴とする液晶ディスプレ用のフード。
【請求項９】
前記フードは、前記携帯型電子機器に着脱可能に構成したことを特徴とする請求項８に記載の液晶ディスプレ用のフード。
【請求項１０】
前記フードは、前記携帯型電子機器に着脱可能に形成された枠体と、前記枠体に反転可能に装着されたフード部材とから構成したことを特徴とする請求項８に記載の液晶ディスプレ用のフード。
【請求項１１】
前記フード部材は、前記表示画面を覆うように折り畳み可能に構成されていることを特徴とする請求項８乃至請求項１０のいずれかに記載の液晶ディスプレ用のフード。
【発明の詳細な説明】
【技術分野】
【０００１】
本発明は、画像や文字などの視覚情報を表示画面に表示する液晶ディスプレ（液晶パネルとも言う：ＬＣＤ）を備えた携帯型電子機器および液晶ディスプレ用のフードに関し、特に、液晶ディスプレをスポットライトのような照明光源として利用できるようにしたものである。
【背景技術】
【０００２】
一般的に、この種携帯型電子機器においては、多くの場合、液晶ディスプレは、バックライト手段を備えた透過方式を採用している。このため、昼間の屋外など照度の大きい環境下では、外光が液晶ディスプレの表示画面に入射して表面で反射し、表示画面に表示される視覚情報の観察が困難となる。
【０００３】
従来、この対策として、例えば、表示画面への上方からの入射光を遮る上部壁面部材と、表示画面への左右からの入射光を遮る一対の側部壁面部材とからなる表示画面遮光部材を、折り畳み可能に形成したものがある(例えば、特許文献１参照）。また、展開・収納可能な液晶ディスプレの表示画面への不要な外光を遮断するための折り畳み式遮光フードを、装置本体の側面内に設けたものがある(例えば、特許文献２参照）。
【０００４】
更に、折り畳み式フードを、液晶ディスプレに巻着した装着部に、面状ファスナによって着脱自在にしたものがある(例えば、特許文献３参照）。
【特許文献１】特開２００４−２９４９０３号公報
【特許文献２】特開２００１−２６８４０３号公報
【特許文献３】特開平８−３３１４８３号公報
【発明の開示】
【発明が解決しようとする課題】
【０００５】
しかし、前述の特許文献１乃至特許文献３記載の構成では、表示画面遮光部材或いは、折り畳み式フードにより液晶ディスプレの表示画面への不要な外光を遮光し、表示画面に表示される視覚情報を観察し易くすることは可能である。しかし、表示画面遮光部材或いは、折り畳み式フードの内面は、液晶ディスプレの表示画面からの光が減衰するような状態にすることが必要ある。ところで、例えば、停電時や、夜間の屋外などの暗闇において、液晶ディスプレの表示画面からの光を、懐中電灯代わりとして利用することが考えられる。更には、この種携帯型電子機器の一つである、例えば、携帯型テレビジョンを、キャンプ地などの暗闇において、懐中電灯やスポットライト代わりに、液晶ディスプレの表示画面からの光を、照明光源として利用することが考えられる。ところが、特許文献１乃至特許文献３記載の構成では、表示画面からの光が減衰するような状態であるため、光量が不足し、上述した目的を充分に達成することは困難である。
【０００６】
本発明は、上述した問題を解決するためになされたものであり、簡単な構成で、液晶ディスプレの表示画面からの光を、懐中電灯やスポットライトのような照明光源として利用できる携帯型電子機器および液晶ディスプレ用のフードを提供することを目的とする。
【課題を解決するための手段】
【０００７】
かかる目的を達成するため、本発明では、視覚情報を表示画面に表示する液晶ディスプレと、液晶ディスプレが装着されたケースと、表示画面の周囲を覆うようにケースに装着されたフードと、を備えた携帯型電子機器において、フードは、ケースに着脱可能に形成された枠体と、枠体に回転可能に装着された複数のフード部材とからなり、各フード部材の一方の面を、表示画面からの光が減衰するように形成して遮光面となし、他方の面を、表示画面からの光が反射するように形成して集光面となすとともに、フード部材は、遮光面と、集光面とが反転可能であって、かつ、表示画面を覆うように折り畳み可能に構成する。
【０００８】
この構成によれば、フード部材を反転することにより、フードを表示画面に入射する光を遮る遮光面、および表示画面からの光を反射する集光面に変更することができる。従って、集光面とした場合、表示画面からの光を、懐中電灯やスポットライトのような照明光源として利用することができる。また、フード部材は、表示画面を覆うように折り畳み可能に構成されているので、不使用時には、表示画面を覆い、当該表示画面を保護することができる他、フードは、着脱可能に形成されているので、携行の際や、保管の際など取り外すことができ、利便性が向上する。
【０００９】
また、本発明においては、視覚情報を表示画面に表示する液晶ディスプレと、液晶ディスプレが装着されたケースと、表示画面の周囲を覆うようにケースに装着された複数のフード部材からなるフードと、を備えた携帯型電子機器において、各フード部材の一方の面を、表示画面からの光が減衰するように形成して遮光面となし、他方の面を、表示画面からの光が反射するように形成して集光面となし、かつ、フード部材は、遮光面と、集光面とが反転可能に構成する。
【００１０】
この構成によれば、フード部材を反転することにより、フードを表示画面に入射する光を遮る遮光面、および表示画面からの光を反射する集光面に変更することができる。従って、集光面とした場合、表示画面からの光を、懐中電灯やスポットライトのような照明光源として利用することができる。
【００１１】
また、本発明においては、フードは、ケースに着脱可能に形成された枠体と、枠体に反転可能に装着されたフード部材とから構成する。この構成によれば、フードが、着脱可能に構成されているので、携行の際や、保管の際など取り外すことができ、利便性が向上することができ、都合が良い。
【００１２】
また、本発明においては、フード部材は、表示画面を覆うように折り畳み可能に構成する。この構成によれば、フード部材は、表示画面を覆うように折り畳み可能に構成されているので、不使用時には、表示画面を覆い、当該表示画面を保護することができ、都合が良い。
【００１３】
また、本発明においては、各フード部材は、表示画面に対する開閉角度が調整可能に構成する。この構成によれば、各フード部材は、表示画面に対する開閉角度が調整可能に構成されているので、遮光または集光に最適な角度に調整することができ、都合がよい。
【００１４】
また、本発明においては、フード部材は、支持軸を有し、当該支持軸が枠体に設けられた支持孔に、回転可能に軸支する。この構成によれば、フード部材の表示画面に対する開閉角度の調整を、極めて簡単な構成で達成することができ、都合がよい。
【００１５】
また、本発明においては、表示画面を全面白画面となるように、当該表示画面に送る画像データを制御する表示制御手段を更に備え、フードを、表示画面からの光が反射するように集光面とした際、表示制御手段により、表示画面が全面白画面となるように制御する。
【００１６】
この構成によれば、表示画面が全面白画面とすることができるので、表示画面からより均一な白色光を出射することができる。従って、表示画面からの光量を増すことができ、都合がよい。
【００１７】
また、本発明においては、視覚情報を表示画面に表示する液晶ディスプレを備えた携帯型電子機器の表示画面の周囲を覆うように携帯型電子機器に装着される複数のフード部材からなる液晶ディスプレ用のフードにおいて、各フード部材の一方の面を、表示画面からの光が減衰するように形成して遮光面となし、他方の面を、表示画面からの光が反射するように形成して集光面となし、かつ、フード部材は、遮光面と、集光面とが反転可能に構成する。
【００１８】
この構成によれば、フード部材を反転することにより、フードを表示画面に入射する光を遮る遮光面、および表示画面からの光を反射する集光面に変更することができる。従って、集光面とした場合、表示画面からの光を、懐中電灯やスポットライトのような照明光源として利用することができ、都合がよい。
【００１９】
また、本発明においては、フードは、携帯型電子機器に着脱可能に構成する。この構成によれば、フードが、着脱可能に構成されているので、携行の際や、保管の際など取り外すことができ、利便性が向上することができ、都合が良い。
【００２０】
また、本発明においては、フードは、携帯型電子機器に着脱可能に形成された枠体と、枠体に反転可能に装着されたフード部材とから構成する。この構成によれば、各フード部材は、表示画面に対する開閉角度が調整可能に構成されているので、遮光または集光に最適な角度に調整することができ、都合がよい。
【００２１】
更に、本発明においては、フード部材は、表示画面を覆うように折り畳み可能に構成する。この構成によれば、フード部材は、表示画面を覆うように折り畳み可能に構成されているので、不使用時には、表示画面を覆い、当該表示画面を保護することができ、都合が良い。
【発明の効果】
【００２２】
本発明によれば、液晶ディスプレの表示画面からの光を、懐中電灯やスポットライトのような照明光源として利用できる携帯型電子機器および液晶ディスプレ用のフードを得ることができる。
【発明を実施するための最良の形態】
【００２３】
（第１実施形態）
以下、本発明の第１実施形態を図１乃至図１１に基づいて説明する。図１は、本発明の第１実施形態に係る携帯型電子機器の一例である携帯型テレビジョンの概略構成を示す斜視図、図２は、図１に示すフードの概略正面図、図３は、図２に示すフードを折り畳んだ状態を示す概略図である。図４は、図２に示すフードの枠体の一例を示す正面図、図５は、図４に示す枠体の側面図、図６は、図４に示す枠体のＸ１−Ｘ１視断面図、図７は、同じく図４に示す枠体のＸ２−Ｘ２視断面図である。図８は、図４に示す枠体のケースへの取り付け状態の一例を示す要部断面図である。図９は、図２に示すフード部材の一例を示す正面図、図１０は、図９に示すフード部材の側面図である。図１１は、図２に示すフードの表示画面に対する開閉角度の調整を説明する説明図である。
【００２４】
図１に示すように、この携帯型電子機器である携帯型テレビジョン１は、例えば、ケース２に、視覚情報を表示する表示画面３１が露出するように装着された液晶ディスプレ３を備えている。そして、周知のようにケース２内には、表示画面３１に所望の画像などの視覚情報を表示するために、図示しないチューナ部、中間周波増幅、検波回路、スイッチ回路、ビデオ信号処理回路、重畳表示処理回路、オーディオ信号処理回路およびマイクロコンピュータなどによって形成された制御手段などが収納されている。また、ケース２には、アンテナ１１、電源スイッチ１２、この電源スイッチ１２のオン・オフを表示するＬＥＤ（発光ダイオード）などからなる表示器１３、ビデオテープレコーダ（ＶＴＲ）などの外部機器からのビデオ信号の入力端子１４、外部機器からのオーディオ信号の入力端子１５Ｌ、１５Ｒ、ＶＴＲのテープカウンタの値などのデータ入力を受け付ける入力端子１６、スピーカ１７、および図示しないチャンネル選択スイッチ、音量調整スイッチなどが設けられている。更には、表示画面３１の周囲を覆うようにケース２に着脱可能にフード４が装着されている。
【００２５】
かかる構成により、この携帯型テレビジョン１は、電源スイッチ１２が押され、電源をオンにするように操作されると、制御手段などにより、前回の視聴終了時に選択されていたチャンネル情報や、音量、音質、画質などの設定情報、いわゆるラストメモリ情報を読み出して、各部を制御する。これにより、チューナ部において、前回の視聴終了時と同じチャンネルが選局され、中間周波増幅および検波回路でビデオ信号とオーディオ信号が復調される。復調されたビデオ信号は、スイッチ回路、映像信号処理回路、重畳信号処理回路を介して、液晶ディスプレ３に供給され、選局されたテレビ放送番組の画像が液晶ディスプレ３の表示画面３１に表示される。
【００２６】
而して、本発明に従い、フード４は、例えば、図２乃至図１１に示すように構成されている。即ち、フード４は、ケース２に着脱可能に形成された、例えば、合成樹脂製の枠体５と、枠体５に回転可能に装着された、例えば、合成樹脂製の４枚のフード部材６１、６２、６３、６４とから形成されている。各フード部材６１、６２、６３、６４の一方の面、図１および図２において内側は、表示画面３１からの光が減衰するように、例えば、黒色若しくは黒色に近い色になされ、遮光面ａを形成している。また、各フード部材６１、６２、６３、６４の他方の面、図１および図２において外側は、表示画面３１からの光が反射するように、例えば、銀色、白色若しくは白色に近い色になされ、集光面ｂを形成している。また、フード部材６１、６２、６３、６４は、遮光面ａと、集光面ｂとが反転可能であって、かつ、例えば、図３に示すように、表示画面３１を覆うように折り畳み可能に構成されている。更に、各フード部材６１、６２、６３、６４は、表示画面３１に対する開閉角度が調整可能に構成されている。
【００２７】
具体的には、枠体５は、例えば、図４乃至図７に示すように、額縁状の本体部５１の上面が円弧状に形成されている。本体部５１の各辺の中央部には、スリット５２と、図６に示すように、スリット５２に連通する上部が円弧状に形成された支持孔５３が設けられている。また、各辺のスリット５２の両側には、図７に示すように、後述する各フード部材６１、６２、６３、６４の係止部が嵌合する円弧状の窪みからなる係止溝５４が複数個形成されている。また、枠体５の底面５５の左右の各辺には、枠体５をケース２に着脱可能にするための、例えば、Ｌ字状の取付け部５６が形成されている。この構成により、枠体５は、図８に示すように、ケース２に形成された、例えば、クランク状の取付け孔２１に着脱可能に装着される。
【００２８】
各フード部材６１（６２、６３、６４）は、例えば、図９および図１０に示すように、一方の面が遮光面ａ、他方の面が集光面ｂである方形状のフード片６１１と、フード片６１１の下方中央部分に形成された支持部６１２に支持軸６１３が形成され、この支持軸６１３に、球状の回動部６１４が取付けられる。この回動部６１４は、枠体５に設けられた貫通孔５３に、上側からフード部材６１の支持軸６１３が挿入された後、支持孔５３の下側から嵌入され、支持軸６１３と一体的に結合される。この結合は、例えば、ネジによる螺合、或いは、接着剤などにより接着すれば良い。また、枠体５に形成された係止溝５４と対向するフード片６１１の下端には、係止溝５４に係合する係止部６１５が形成されている。
【００２９】
この構成により、各フード部材６１（６２、６３、６４）は、支持軸６１３が枠体５に設けられた支持孔５３に、回転可能に軸支される。従って、各フード部材６１（６２、６３、６４）は、支持軸６１３を中心に回転可能となり、遮光面ａと、集光面ｂとが反転可能となる。また、各フード部材６１（６２、６３、６４）は、図１１に示すように、矢印Ｒ（右）側およびＬ（左）側に可動可能となり、表示画面３１に対する開閉角度が調整可能となるとともに、各フード部材６１（６２、６３、６４）に形成された係止部６１５が、枠体５に形成した係止溝５４に係合し、所望の角度が維持される。更に、矢印Ｌ（左）側に略９０度回動すると、各フード部材６１（６２、６３、６４）は、表示画面３１を覆うように折り畳まれる。このとき、上下のフード部材６２、６４と、左右のフード部材６１、６３とは、図３に示すように、互いに干渉しないように重ね合わせるように形成するのが好ましい。
【００３０】
以上の構成による本実施形態では、フード部材６１、６２、６３、６４を反転することにより、フード４を表示画面３１に入射する光を遮る遮光面ａ、および表示画面からの光を反射する集光面ｂに変更することができる。従って、集光面ｂとした場合、表示画面３１からの光を、懐中電灯やスポットライトのような照明光源として利用することができる。
【００３１】
また、フード４は、ケース２に着脱可能に形成された枠体５と、枠体５に反転可能に装着されたフード部材６１、６２、６３、６４とから構成され、フード４が、着脱可能に形成されているので、携行の際や、保管の際など取り外すことができ、利便性が向上することができ、都合が良い。
【００３２】
フード部材６１、６２、６３、６４は、図３に示すように、表示画面３１を覆うように折り畳み可能に構成されているので、不使用時には、表示画面３１を覆い、当該表示画面３１を保護することができ、都合が良い。
【００３３】
また、フード部材６１、６２、６３、６４は、表示画面３１に対する開閉角度が調整可能に構成されているので、遮光または集光に最適な角度に調整することができ、都合がよい。
【００３４】
また、フード部材６１、６２、６３、６４は、支持軸６１３を有し、当該支持軸６１３が枠体５に設けられた支持孔５３に、回転可能に軸支されているので、フード部材６１、６２、６３、６４の表示画面３１に対する開閉角度の調整を、極めて簡単な構成で達成することができ、都合がよい。
【００３５】
（第２実施形態）
次に、本発明の第２実施形態について図１２乃至図１７を参照しながら説明する。図１２は、本発明の第２実施形態に係る携帯型電子機器の一例である携帯型テレビジョンの概略構成を示す正面図、図１３は、図１２に示す携帯型テレビジョンの上面図、図１４は、図１２に示す携帯型テレビジョンに装着されるフードを示す上面図である。図１５および図１６は、枠体にフードを取付ける状態を説明する説明図で、図１５は、上面図、図１６は、正面図である。図１７は、図１２に示す携帯型テレビジョンにフードを装着した状態を示す上面図である。なお、図１２乃至図１７において、上述した図１乃至図１１と同じ符号を付した部分は、略同一のものを示すため、ここでは詳細な説明は省略する。以下、上述した実施形態との相違点を中心に説明する。
【００３６】
本実施形態では、上述した実施形態と同様、図１２乃至図１７に示すように、携帯型電子機器である携帯型テレビジョン１は、例えば、ケース２に、視覚情報を表示する表示画面３１が露出するように装着された液晶ディスプレ３を備えている。また、本実施形態では、ケース２内に図示しないが表示制御手段を更に備えている。この表示制御手段は、画像データを表示する表示画面３１の表示変更、色調整、明るさ調整などを制御することができる。
【００３７】
而して、本発明に従い、視覚情報を表示する液晶ディスプレ３の表示画面３１の周囲を覆うように、ケース２にフード４が後述するようなレール機構により着脱可能に装着されている。このフード２は、上述した実施形態と同様、各フード部材６１、６２、６３、６４の一方の面が、表示画面３１からの光が減衰するように形成して遮光面ａ、他方の面が、表示画面からの光が反射するように形成して集光面ｂとなるように構成されている。また、各フード部材６１、６２、６３、６４は、上述した実施形態と同様、枠体５に遮光面ａと、集光面ｂとが反転可能に装着されている。
【００３８】
具体的には、ケース２には、図１２および図１３に示すように、例えば、Ｌ字状のレール２１が表示画面３１の両側に設けられている。また、枠体５には、図１４に示すように、例えば、ケース２に設けたＬ字状のレール２１に嵌合する、同じくＬ字状のレール５５が設けられ、ケース２にフード４を着脱可能なレール機構が構成されている。また、各フード部材６１（６２、６３、６４）は、例えば、図１５および図１６に示すように、フード部材６１（６２、６３、６４）の枠体５側の中央部には、断面がＣ字状であって、弾性を有する結合部６１６が形成されている。また、枠体５の結合部６１６に対応する部分には、断面が丸棒状であって、弾性を有する結合部６１６が嵌合するチャンネル状（コ字状）の係止部５６が形成されている。この構成により、各フード部材６１（６２、６３、６４）は、枠体５に対して着脱可能に構成されている。従って、各フード部材６１（６２、６３、６４）は、枠体５から取外して表示画面３１に対する側を、遮光面ａ或いは、集光面ｂとすることができる。このように構成されたフード４は、図１７に示すように、表示画面３１に対して遮光面ａ或いは、集光面ｂを向けてケース２に着脱可能な状態で装着される。
【００３９】
次に、このように構成された携帯型テレビジョン１を懐中電灯やスポットライトのような照明光源として利用する場合の操作方法について説明する。先ず、ケース２に装着されたフード４の各フード部材６１（６２、６３、６４）の集光面が表示画面３１に対するように、各フード部材６１（６２、６３、６４）を、枠体５に取付ける。次に、図示しないモード切り替えスイッチが操作され、照明光源モードが選択される。表示制御手段は、照明光源モードが選択されたことを条件に自動的に、或いは、図示しない切り替えスイッチを操作することにより、画像信号の表示画面３１への表示をストップさせて、表示画面３１が全面白画面となるような画像データを表示画面３１に送る。これにより、表示画面３１は全面白画面となり、白色光を出射することとなる。これにより、表示画面３１の全画面から出射された光を照明光源領域に照射させることができ、照明光源領域全体を所定の照度で均一に照明することが可能となる
以上の構成による本実施形態よれば、上述した実施形態と同様の作用効果を奏する他、モード切り替えスイッチなどを操作するなどして、表示制御手段により、表示画面３１の表示色や照度を変化させて、希望する色や光量の光を照射することができるので、多彩な色や明るさの照明を行うことが可能となる。
【００４０】
なお、上述した実施形態は、本発明の好適な実施例であるが、本発明はこれに限定されるものではなく、本発明の要旨を逸脱しない範囲において、種々変形実施可能である。
【００４１】
例えば、上述の実施形態では、携帯型テレビジョンを例に挙げて説明したが、本発明は、視覚情報を表示画面に表示する液晶ディスプレを備えた携帯型電子機器であれば良く、例えば、携帯型ラジオ、携帯型オーディオプレイヤー、
1159228045885_0
、ビデオカメラ、携帯電話などの携帯型電子機器に対しても適用可能である。
【００４２】
また、上述の実施形態２では、表示制御手段により表示画面３１が全面白画面となるように制御する場合について説明したが、例えば、画像データのホワイトバランスを調整することにより、表示画面３１から出射される照明光の色や明るさを調整する調整手段を備えている場合には、調整手段を用いて、色や明るさを調整するように制御しても良い、のは勿論である。
【００４３】
また、上述の実施形態では、枠体５に遮光面ａと、集光面ｂとが反転可能なようにフード部材６１、６２、６３、６４を装着してフード４を構成したが、枠体５を用いずに、ケース２に直接、フード部材６１、６２、６３、６４を、遮光面ａと、集光面ｂとが反転可能なように装着しても良いのは、勿論である。
【図面の簡単な説明】
【００４４】
【図１】本発明の第１実施形態に係る電気機器の一例であるテレビジョン（携帯型電子機器）の概略構成を示す概略構成図である。
【図２】図１に示すフードの概略正面図である。
【図３】図２に示すフードを折り畳んだ状態を示す概略図である。
【図４】図２に示すフードの枠体の一例を示す正面図である。
【図５】図４に示す枠体の側面図である。
【図６】図４に示す枠体のＸ１−Ｘ１視断面図である。
【図７】図４に示す枠体のＸ２−Ｘ２視断面図である。
【図８】図４に示す枠体のケースへの取り付け状態の一例を示す要部断面図である。
【図９】図２に示すフード部材の一例を示す正面図である。
【図１０】図９に示すフード部材の側面図である。
【図１１】図２に示すフードの表示画面に対する開閉角度の調整を説明する説明図である。
【図１２】本発明の第２実施形態に係る携帯型電子機器の一例であるテレビジョン（携帯型電子機器）の概略構成を示す正面図である。
【図１３】図１２に示すテレビジョンの上面図である。
【図１４】図１２に示すテレビジョンに装着されるフードを示す上面図である。
【図１５】枠体にフードを取付ける状態を説明する上面図である。
【図１６】枠体にフードを取付ける状態を説明する正面図である。
【図１７】図１２に示すテレビジョンにフードを装着した状態を示す上面図である。
【符号の説明】
【００４５】
ａ      遮光面
ｂ      集光面
１      携帯型電子機器（携帯型テレビジョン）
２      ケース
３      液晶ディスプレ
３１    表示画面
４      フード
５      枠体
５３    支持孔
６１    フード部材
６２    フード部材
６３    フード部材
６４    フード部材
６１３  支持軸
７１    撮像レンズ（撮像手段）
【図１】
2008085407.tif 000003
【図２】
2008085407.tif 000004
【図３】
2008085407.tif 000005
【図４】
2008085407.tif 000006
【図５】
2008085407.tif 000007
【図６】
2008085407.tif 000008
【図７】
2008085407.tif 000009
【図８】
2008085407.tif 000010
【図９】
2008085407.tif 000011
【図１０】
2008085407.tif 000012
【図１１】
2008085407.tif 000013
【図１２】
2008085407.tif 000014
【図１３】
2008085407.tif 000015
【図１４】
2008085407.tif 000016
【図１５】
2008085407.tif 000017
【図１６】
2008085407.tif 000018
【図１７】
2008085407.tif 000019